(57)【特許請求の範囲】
【請求項１】
紫外波長域の光を出射する光源と、
前記光源から出射された光を相互に逆向きの回転方向を有する２種類の円偏光に変換する円偏光変換手段と、
前記円偏光変換手段で変換され、かつ被験体を透過した２種類の透過円偏光の吸収スペクトルを検出する検出手段と、
前記検出手段で検出された吸収スペクトルから得られる差分スペクトルのピークの強度および前記ピークの波長とグルコース濃度との関係にもとづいて、血糖値を算出する算出手段と、
を含む血糖値測定装置。
【請求項２】
前記ピークの波長に対応する波長は１８０ｎｍ〜１９０ｎｍの波長である請求項１に記載の血糖値測定装置。
【請求項３】
紫外波長域の光を出射し、
出射された前記光を相互に逆向きの回転方向を有する２種類の円偏光に変換し、
前記変換され、かつ被験体を透過した２種類の透過円偏光の吸収スペクトルを検出し、
検出された前記吸収スペクトルから得られる差分スペクトルのピークの強度および前記ピークの波長とグルコース濃度との関係にもとづいて、血糖値を算出する、
血糖値測定方法。
【請求項４】
前記ピークの波長に対応する波長は１８０ｎｍ〜１９０ｎｍの波長である請求項３に記載の血糖値測定方法。
【発明の詳細な説明】
【技術分野】
【０００１】
本発明は、血糖値測定装置及び方法にかかり、特に、円二色性スペクトルを用いて無侵襲で血糖値を測定することができる血糖値測定装置及び方法に関する。
【背景技術】
【０００２】
無侵襲血糖値測定装置は、これまで多くの研究機関や企業から様々提案されている。提案されている装置は、主として光学的計測法を用いた装置であり、近赤外分光法（透過法、反射法、及び多重散乱法を含む）、可視光を用いたラマン分光法、旋光度分光法、屈折率を用いた方法（干渉法、散乱強度法）、または蛍光法等が知られている。【０００３】
近赤外光を用いた装置としては、光源から互いに波長が異なる３つの近赤外光を生体被測定部位に照射し、生体を透過した３つの光の透過強度を同時に検出し、これらの透過強度から生体被測定部位による近赤外光の吸光度二次微分値を算出し、吸光度二次微分値の変動幅から検量線データに基づいて生体中の血糖値を求める装置が知られている（特許文献１）
【特許文献１】特開２０００−１８９４０４号
【発明の開示】
【発明が解決しようとする課題】
【０００４】
しかしながら、従来の血糖値測定装置では、可視光または近赤外光を用いているため、可視光または近赤外光に対してグルコースと同様の透過性を示す他の物質と、グルコースとを区別するのが困難であることから、充分な測定精度が得られない、という問題があった。【０００５】
本発明は、上記問題点を解消すべく、グルコース濃度の特性波長が紫外領域に存在し、その特性波長の酢ペクトラムは他の物質には見られないグルコース固有のものであり、特性波長のピーク位置及びピーク強度がグルコース濃度と相関を持つ点に着目してなされたもので、精度良く血糖値を測定することができる血糖値測定装置及びを提供することを目的とする。
【課題を解決するための手段】
【０００６】
上記目的を達成するために本発明の血糖値測定装置は、紫外波長域の光を照射する光源と、前記光源から照射された光を相互に逆向きの回転方向を有する２種類の円偏光に変換する円偏光変換手段と、前記円偏光変換手段で変換され、かつ被検体を透過した２種類の透過円偏光の吸収スペクトルを検出する検出手段と、前記検出手段で検出された吸収スペクトルから得られる差分スペクトルの強度であって、血糖値が正常な被検体を透過した透過円偏光の吸収スペクトルから得られる差分スペクトルに対応する強度に基づいて、血糖値を算出する算出手段と、を含んで構成したものである。【０００７】
また、本発明の血糖値測定方法は、紫外波長域の光を照射する光源から照射された光を相互に逆向きの回転方向を有する２種類の円偏光に変換して被検体に照射し、前記被検体を透過した２種類の透過円偏光の吸収スペクトルから得られる差分スペクトルの強度であって、血糖値が正常な被検体を透過した透過円偏光の吸収スペクトルから得られる差分スペクトルの複数のピークに対応する強度に基づいて、血糖値を算出することを特徴とする。【０００８】
本発明では、紫外領域の特性波長スペクトラムにおけるピーク位置及びピーク相対強度を用いるため、被検体における減衰効果からあまり影響されずに血糖値に対応するグルコース濃度を直接検出することができる。紫外域の光は、グルコース濃度の測定に関して可視光または近赤外光と比較して高感度であり、グルコース固有の特性波長における強度測定であるので、グルコースに類似する他の脂肪、たんぱく質、または電解質と識別して測定することができるので、高精度の測定を行うことができる。【０００９】
本発明では、差分スペクトルの特性波長ピークの強度自体を用いて血糖値を測定することもできるが、差分スペクトルの特性波長のピーク位置がグルコース濃度と相関性を持つことから、この関係から血糖値を算出することが効果的である。【００１０】
また、差分スペクトルにおけるグルコースに対応する特性波長ピークは１８０ｎｍから１８５ｎｍ近傍の波長であるのが好ましい。
【発明の効果】
【００１１】
以上説明したように本発明によれば、グルコース濃度の特性波長が紫外領域に存在する点に着目して血糖値を測定するようにしたので、精度良く血糖値を測定することができる、という効果が得られる。
【図面の簡単な説明】
【００１２】
【図１】本発明の実施の形態を示すブロック図である。
【図２】グルコース濃度が異なる水溶液の円二色性のスペクトルの波長と分子楕円率との関係を示す線図である。
【図３】実施例１における、ＣＤスペクトルのピーク位置とその強度のグルコース濃度依存性を示す線図である。
【図４】実施例１における、血糖値を演算するルーチンを示す流れ図である。
【図５】実施例２における、グルコース以外の光学活性分子のＣＤスペクトルのピーク位置とその強度を示す線図である。
【図６】実施例２における、血糖値を演算するルーチンを示す流れ図であ。
【発明を実施するための最良の形態】
【００１３】
以下、図面を参照して本発明の実施の形態を詳細に説明する。本実施の形態には、図１に示すように、紫外波長域の光として、例えば、１６０〜２００ｎｍの波長域の光を出射する紫外光源１０が設けられている。紫外光源１０の光出射側には、入射された紫外波長域の光を、印加された大きさが異なる２つの電圧に応じて、相互に逆向きの回転方向を有する２種類の円偏光に変換する円偏光変換光学装置であるポッケルスセル１２が配置されている。【００１４】
また、ポッケルスセル１２には、ポッケルスセルに電圧を印加するための駆動回路１４が接続されている。【００１５】
なお、ポッケルスセルに代えて、ピエゾ効果の原理に基づいて石英に歪みを加え、その歪みで円偏光を作り出す素子を用いても良い。【００１６】
ポッケルスセル１２の円偏光出射側には、被検体１６が配置されている。被検体としては、人間の手の指間または耳たぶ等生体の薄い皮膚層の部位が想定される。また、被検体は、人体から無侵襲で抽出した細胞間液、歯肉溝液または尿等であっても良い。【００１７】
被検体１６の光透過側には、透過光の吸収スペクトルを検出する分光器１８が配置されている。分光器１８には、コンピュータ２０が接続れており、該コンピュータ２０には、グリコース濃度と特性波長のピーク位置及びピーク強度割合との関係を示す検量線（検量線データ）が予め記憶されると共に、分光器１８で検出された吸収スペクトル及び記憶された検量線から血糖値を算出するプログラムが記憶されている。
【実施例１】
【００１８】
次に、コンピュータ２０に記憶されている検量線について説明する。本願発明では、コンピュータ２０に記憶されている検量線の内容毎に異なるいくつかの実施例が考えられることに留意されたい。以下では実施例１として、図２に示した検量線を用いる場合を説明する。
図２にグルコース濃度が異なる４種類の水溶液に対して、波長１７５〜５００ｎｍの光を左右円偏光に変換して被検体に照射し、被検体を透過した２種類の透過円偏光の吸収スペクトルを検出した場合における吸収スペクトルの差分スペクトル（円二色性：Ｃｉｒｃｕｌａｒ  Ｄｉｃｈｒｏｉｓｍ）の分子楕円率を演算した実験結果を示す。実験は、グルコース濃度が１２１ｍｇ／ｄｌ、２４２ｍｇ／ｄｌ、４８５ｍｇ／ｄｌ、９７０ｍｇ／ｄｌの水溶液に対して行った。【００１９】
図２から理解されるように、差分スペクトル、すなわち円二色性のスペクトルのピーク値は、グルコース濃度が１２１ｍｇ／ｄｌから９７０ｍｇ／ｄｌへ増加するにつれて長波長側へシフトしている。また、ピーク近傍におけるスペクトル高度もグルコース濃度が増加するにつれて増大している。【００２０】
図３は、グルコース濃度におけるＣＤスペクトルのピーク位置とその強度のグルコース濃度依存性を示す図である。図３から分かるように、ピーク波長の位置、及びＣＤ強度はグルコース濃度に対して単調関数である。従って、血液中のＣＤスペクトルの測定によるピーク波長の位置及び強度から血液中のグルコース濃度を定量的に算出することができる。【００２１】
次に、図４に示したフローチャートを参照し、コンピュータに記憶されたプログラムに従って実行される血糖値測定ルーチンについて説明する。【００２２】
紫外光源１０から紫外波長域の光を出射させた状態で、ステップ１００においてポッケルスセルから右偏光及び左偏光が交互に出射されるように駆動回路１４を制御し、ポッケルスセルに電圧を印加する。これによって、被検体には右偏光及び左偏光が交互に照射され、被検体を透過した透過右偏光及び透過左偏光が交互に分光器１８に入射され、分光器１８によって透過右偏光及び透過左偏光の各吸収スペクトルが交互に検出される。【００２３】
ステップ１０２では、分光器１８によって検出された吸収スペクトルをＡ／Ｄ変換（アナログ／デジタル変換）して取り込む。ステップ１０４において透過右偏光の吸収スペクトルと透過左偏光の吸収スペクトルとの差分を表す差分スペクトルを演算する。ステップ１０６では、差分スペクトルに基づいて各波長における分子楕円率を演算する。【００２４】
ステップ１０８では、ＣＤスペクトルの実測値から、波長２００ｎｍ以下の波長領域でのグルコース起因のスペクトルのピーク位置を求める。そして、ステップ１１２で、ピーク位置と図３の検量線から血糖値を演算する。
【実施例２】
【００２５】
次に、実施例２について述べる。実施例２では、血液中に存在するグルコース以外の主要な光学活性分子であるアルブミン、グロブリン及びアスコルビン酸による成分を総スペクトにからフィッティング分離し、これらの各主要な光学活性分子のＣＤ強度とグルコースのＣＤ強度との相対強度からグルコース濃度を定量的に求めることを特徴とする。【００２６】
具体的には、図５から分かるように、グルコース以外の上記光学活性分子のＣＤスペクトルのピーク位置はグルコースのピーク位置とは異なる位置に存在する。【００２７】
また、一般に、アルブミン、グロブリン及びアスコルビン酸は、時間的に一定の数値を示すことが知られている。【００２８】
従って、アルブミン、グロブリン及びアスコルビン酸のＣＤ強度とグルコースのＣＤ強度との相対強度を計測することで、グルコース濃度を定量的に随時求めることが可能である。【００２９】
次に、図６に示したフローチャートを参照し、実施例２において、コンピュータに記憶されたプログラムに従って実行される血糖値測定ルーチンについて説明する。【００３０】
図６のフローチャートのステップ２００、２０２、２０４、２０６での処理は、図４のフローチャートのステップ１００、１０２、１０４、１０６での処理と同様であるので説明を省略する。
図４の実施例１と異なり、ステップ２０８では、ＣＤスペクトルをグルコース、アルブミン、グロブリン及びアスコルビン酸の各スペクトルにフィッティング分離し、各々の成分によるＣＤ強度を求め、ステップ２１２では、グルコース成分によるＣＤ強度と、アルブミン、グロブリン及びアスコルビン酸の各々のＣＤ強度の比と図５の検量線から血糖値を演算する。
【符号の説明】
【００３１】
１０      紫外光源
１２      ポッケルスセル
１４      駆動回路
１６      被検体
１８      分光器
２０      コンピュータ
【図１】
0004706028.tif 000002
【図２】
0004706028.tif 000003
【図３】
0004706028.tif 000004
【図４】
0004706028.tif 000005
【図５】
0004706028.tif 000006
【図６】
0004706028.tif 000007